(57)【要約】      （修正有）【課題】表示パネルを直接振動させて音響を発生させる表示装置の提供する。【解決手段】表示パネルの左右側の一定位置に配置される左右音響発生アクチュエータ２００、２００’と、左右音響発生アクチュエータの間に配置される音分離隔壁部６００と、音分離隔壁部と共に左右音響発生アクチュエータの周囲に囲むバッフル部４００を備える。左右音響発生アクチュエータの離隔距離を一定以下に制限することによって、中高音域帯域での音圧減少現象を最小化する。【選択図】図２ａ
2020058064.tif 000002
【特許請求の範囲】
【請求項１】
表示パネルと、
前記表示パネルの第１領域内の第１音響発生アクチュエータと、前記表示パネルの第２領域内の第２音響発生アクチュエータを含み、かつ前記第１及び第２音響発生アクチュエータは前記表示パネルを振動させて音響を発生させるように構成された音響発生アクチュエータと、
前記第１音響発生アクチュエータと前記第２音響発生アクチュエータとの間の隔壁部と、を含む、表示装置。
【請求項２】
前記第１音響発生アクチュエータ及び前記第２音響発生アクチュエータは、前記隔壁部から前記第１領域及び前記第２領域までの間隔が空いている、請求項１に記載の表示装置。
【請求項３】
前記表示パネルの後部を支持するように構成された支持構造を更に含む、請求項１に記載の表示装置。
【請求項４】
前記隔壁部の高さは、前記表示パネルと前記支持構造の間の隙間以上である、請求項３に記載の表示装置。
【請求項５】
前記隔壁部は、前記表示パネル及び前記支持構造に接触することを特徴とする、請求項４に記載の表示装置。
【請求項６】
前記表示パネルと支持構造との間にバッフル部を更に含み、
前記支持構造は、前記表示パネルの後部を支持するように構成されるとともにカバーボトムを含み、
前記バッフル部は、振動板としての前記表示パネルと前記カバーボトムとの間の音透過のための第１空間及び第２空間を形成する、請求項１に記載の表示装置。
【請求項７】
前記第１音響発生アクチュエータ及び前記第２音響発生アクチュエータは、前記第１空間及び前記第２空間に非対称に配置されている、請求項６に記載の表示装置。
【請求項８】
前記第１音響発生アクチュエータ及び前記第２音響発生アクチュエータは、前記第１空間及び前記第２空間で、水平及び鉛直に対称に配置されている、請求項６に記載の表示装置。
【請求項９】
前記音響発生アクチュエータは、
下部プレートと、
前記下部プレート上のマグネットと、
前記下部プレートの中央にあるセンターポールと、
前記センターポールを囲むボビンと、
前記ボビンの周囲に巻き取られたコイルと、
を含むことを特徴とする、請求項１に記載の表示装置。
【請求項１０】
前記支持構造はカバーボトムを含み、
前記隔壁部は前記カバーボトムの上面と前記表示パネルの底面との間にあり、
前記隔壁部は少なくとも前記カバーボトムの上面に接着されることを特徴とする、請求項３に記載の表示装置。
【請求項１１】
前記隔壁部は、前記表示パネルの底面と非接着構造で接触することを特徴とする、請求項１０に記載の表示装置。
【請求項１２】
前記隔壁部は前記表示パネルの中央から第１隔離距離を有しながら前記表示パネルの中央の第１側及び第２側に配置される第１音分離部及び第２音分離部を含む多重壁構造を含む、請求項１に記載の表示装置。
【請求項１３】
前記第１音響発生アクチュエータ及び前記第２音響発生アクチュエータは、前記支持構造内の支持孔に収容されている、請求項３に記載の表示装置。
【請求項１４】
前記下部プレートは、外側に延びる延長部を更に含み、
前記延長部が前記支持構造の前記下部プレートに固定される、請求項９に記載の表示装置。
【請求項１５】
前記支持構造を貫いて支持孔が形成されている、請求項３に記載の表示装置。
【請求項１６】
前記音響発生アクチュエータは、前記支持孔に収容されている、請求項１５に記載の表示装置。
【請求項１７】
前記第１領域及び前記第２領域のうち少なくとも１つが２つ以上の音響発生アクチュエータを含む、請求項１に記載の表示装置。
【請求項１８】
表示パネルと、
前記表示パネルの第１領域内及び前記表示パネルの第２領域内で、前記表示パネルを振動させて音響を発生させるように構成された音響発生アクチュエータと、
前記第１領域と前記第２領域との間の隔壁部と、を含み、
前記第１領域及び前記第２領域の少なくとも１つが２つ以上の音響発生アクチュエータを含む、表示装置。
【請求項１９】
前記第１領域及び前記第２領域の前記音響発生アクチュエータは、各々、前記隔壁部から左右に距離を空けて配置されている、請求項１８に記載の表示装置。
【請求項２０】
前記表示パネルの後部を支持するように構成された支持部を更に含む、請求項１８に記載の表示装置。
【請求項２１】
前記隔壁部の高さは、前記表示パネルと前記支持部の間の隙間以上である、請求項２０に記載の表示装置。
【請求項２２】
前記表示パネルと前記表示パネルの支持部との間にバッフル部を更に含み、
前記支持部は、前記表示パネルの後部を支持するように構成されるとともにカバーボトムを含み、
前記バッフル部は、振動板としての前記表示パネルと前記カバーボトムとの間の音透過のための第１空間及び第２空間を形成する、請求項１８に記載の表示装置。
【請求項２３】
前記表示パネルの前記第１領域及び前記第２領域の前記音響発生アクチュエータは、前記第１空間及び前記第２空間に非対称に配置されている、請求項２２に記載の表示装置。
【請求項２４】
前記表示パネルの前記第１領域及び前記第２領域の前記音響発生アクチュエータは、前記第１空間及び前記第２空間で、水平及び鉛直に対称に配置されている、請求項２２に記載の表示装置。
【請求項２５】
前記音響発生アクチュエータは、
下部プレートと、
前記下部プレート上のマグネットと、
前記下部プレートの中央にあるセンターポールと、
前記センターポールを囲むボビンと、
前記ボビンの周囲に巻き取られたコイルと、
を含むことを特徴とする、請求項１８に記載の表示装置。
【請求項２６】
前記音響発生アクチュエータは、前記支持部に固定された前記支持部内の支持孔に収容されている、請求項２０に記載の表示装置。
【請求項２７】
前記下部プレートは、外側に延びる延長部を更に含み、
前記延長部が前記支持部の前記下部プレートに固定される、請求項２５に記載の表示装置。
【請求項２８】
前記支持部構造を貫いて支持孔が形成されている、請求項２０に記載の表示装置。
【請求項２９】
前記音響発生アクチュエータは、前記支持孔内に固定されている、請求項２８に記載の表示装置。
【発明の詳細な説明】
【技術分野】
【０００１】
本発明は表示装置に関し、より詳しくは、表示パネルを直接振動させて音響を発生させる形態の表示装置に関し、特にステレオ音響具現が可能なパネル振動型音響発生表示装置に関する。
【背景技術】
【０００２】
移動通信端末機、ノートブックコンピュータのような各種の携帯用電子機器が発展するにつれて、これに適用できる平板表示装置（Flat Panel Display Device）に対する要求が増大している。
【０００３】
平板表示装置には、液晶表示装置（Liquid Crystal Display Device）、プラズマディスプレイパネル（Plasma Display Panel）、電界放出表示装置（Field Emission Display Device）、発光ダイオード表示装置（Light Emitting Diode Display Device）、有機発光ダイオード表示装置（Organic Light Emitting Diode Display Device）などが研究されている。
【０００４】
このような表示装置のうち、液晶表示装置（ＬＣＤ）は、薄膜トランジスタを含むアレイ基板と、カラーフィルタ及び／又はブラックマトリックスなどを備えた上部基板と、その間に形成される液晶物質層を含んで構成され、画素領域の両電極の間に印加される電界によって液晶層の配列状態が調節され、それによって光の透過度が調節されて画像が表示される装置である。
【０００５】
このような液晶表示装置の表示パネルは、ユーザにイメージを提供する表示領域（active area：ＡＡ）と前記表示領域（ＡＡ）の周辺領域である非表示領域（non-active area：ＮＡ）として定義され、表示パネルは、通常、薄膜トランジスタなどが形成されて画素領域が定義されるアレイ基板である第１基板と、ブラックマトリックス及び／又はカラーフィルタ層などが形成された上部基板としての第２基板とが合着されて製造される。
【０００６】
薄膜トランジスタが形成されるアレイ基板または第１基板は、また第１方向に延びる多数のゲートライン（ＧＬ）と、第１方向と垂直な第２方向に延びる多数のデータライン（ＤＬ）とを含み、各々のゲートライン及びデータラインにより１つの画素領域（Pixel）Ｐが定義される。１つの画素領域Ｐ内には１つ以上の薄膜トランジスタが形成され、各薄膜トランジスタのゲートまたはソース電極は各々ゲートライン及びデータラインと連結できる。
【０００７】
このような平板表示装置のうち、液晶表示装置は自体発光要素を有しない素子であるので、別途の光源が必要である。これによって、背面にＬＥＤのような光源を備えたバックライトユニットが設けられて液晶パネルの全面に向けて光を照射し、これを通じて初めて識別可能な画像が具現される。
【０００８】
一方、最近、表示装置として脚光を浴びている有機発光表示装置は、自ら発光する有機発光ダイオード（ＯＬＥＤ：Organic Light Emitting Diode）を用いることによって、応答速度が速く、発光効率、輝度、及び視野角などが大きいという長所がある。
【０００９】
このような有機発光表示装置は、有機発光ダイオードが含まれたサブピクセルをマトリックス形態に配列し、スキャン信号により選択されたサブピクセルの明るさをデータの階調によって制御する。また、有機発光ダイオード表示装置は自発光素子であって、消費電力が低く、高速の応答速度、高い発光効率、高い輝度、及び広視野角を有している。
【００１０】
一方、このような表示装置を含む完成品概念のセット装置があり、このようなセット装置の例には、ＴＶ、コンピュータモニター、広告看板などがありうる。
【００１１】
このような表示装置またはセット装置には、表示される映像と関連した音響を発生させて出力するためのスピーカーのような音響出力装置が含まれる。
【００１２】
一般に、液晶表示装置または有機発光ダイオード表示装置などの表示装置生産業体は表示パネルまたは表示装置のみを生産し、スピーカーを生産する別途の業体で完成された表示装置にスピーカーを組み立てる方式により最終的に映像及び音が出力されるセット装置を具現していた。
【００１３】
図１は、従来の表示装置に含まれたスピーカーに対する概略的な平面図である。
【００１４】
図１に示すように、従来の表示装置１またはセット装置において、スピーカー２は表示パネルの後面または下端部に備えられている。
【００１５】
この場合、スピーカー２を通じて発生された音の進行方向は、映像が表示される表示パネルの前面でない後面または表示パネルの下方になるため、表示装置１の前方で映像を視聴する視聴者方向に音が進行しないので、視聴者の没入を妨害するという問題があった。
【００１６】
また、スピーカー２を通じて発生した音が表示パネルの後面または表示パネルの下方に進行する場合には、壁または底で反射される音との干渉によって音質が落ちるという問題があった。
【００１７】
また、従来の表示装置に含まれるスピーカーは発生した音響の進行方向が表示装置の観察者方向でない方に向かうようになって、音響の回折現象などにより音の定位感が落ちるだけでなく、ＴＶなどのセット装置を構成するに当たって、スピーカーが一定の空間を占めるようになるので、セット装置のデザイン及び空間配置上に一定の制約になるという問題もあった。
【００１８】
したがって、表示装置から出力される音の音質を改善し、視聴者の没入を妨害しない技術に対する必要性が増加している状況である。
【発明の概要】
【発明が解決しようとする課題】
【００１９】
本発明は前述した従来の問題点を解決するためのものであって、本発明の目的は、表示装置を構成する表示パネルを直接振動させて音響を発生させ、かつ左右に相異する音響を出力してステレオ音響具現が可能なパネル振動型音響発生が可能な表示装置を提供するものことにある。
【００２０】
本発明の他の目的は、表示パネルの左右側の一定位置に配置される左右音響発生アクチュエータと、左右音響発生アクチュエータの間に配置される音分離隔壁部と、前記音分離隔壁部と共に左右音響発生アクチュエータの周囲に囲むバッフル部を備えることによって、優れるステレオ音響具現が可能なパネル振動型音響発生表示装置を提供することにある。
【００２１】
本発明の更に他の目的は、表示パネルの左右に配置される２つ以上の音響発生アクチュエータの中央に音分離隔壁部を形成し、音分離隔壁部の高さ、個数、表示パネルとの接着の有無などを調節することによって、左右ステレオ音響具現特性に優れる表示装置を提供することにある。
【００２２】
本発明の更に他の目的は、表示パネルの中央に配置される音分離隔壁部と左右ステレオ音響具現のための左側音響発生アクチュエータ及び右側音響発生アクチュエータとの間の距離を２００ｍｍ以下に設定することによって、中高音域帯の音質弱化現象であるディップ現象（Dip）を最小化しながらもステレオ音響具現が可能な表示装置を提供することにある。
【００２３】
本発明の更に他の目的は、左右音響発生アクチュエータを中心に第１及び第２エアーギャップ空間が対称的に形成されるように音分離隔壁部とバッフル部を配置することによって、ステレオ音響特性及び音響発生装置の耐久性及び信頼性を確保することができる表示装置を提供することにある。
【００２４】
本発明の更に他の目的は、パネルを直接振動させて中高音域音響を発生する左右音響発生アクチュエータ構造の一側に低音発生用低音スピーカーをさらに配置することによって、全可聴周波数帯域全てで優れる音響出力特性を有する表示装置を提供することにある。
【課題を解決するための手段】
【００２５】
前記の目的を達成するために、本実施形態による表示装置は、表示パネルの左側領域に配置される１以上の左側音響発生アクチュエータと、前記表示パネルの右側領域に配置される１以上の右側音響発生アクチュエータを含み、かつ左側及び右側音響発生アクチュエータは前記表示パネルの一面に接触するように配置されて前記表示パネルを振動させて音響を発生させ、左側音響発生アクチュエータと前記右側音響発生アクチュエータの中央で表示パネルの上下方向に延長され、かつ表示パネルと表示パネルの後方を支持する後面支持部に接触配置される音分離隔壁部を含むパネル振動型音響発生表示装置を提供する。
【００２６】
この際、中高音帯域の音圧弱化現象であるディップ（Dip）現象を最小化するために、音分離隔壁部と左側音響発生アクチュエータまたは前記右側音響発生アクチュエータとの間の距離（ｄ）は２００ｍｍ以下にする。
【００２７】
また、音分離隔壁部は前記後面支持部であるカバーボトムの上面と表示パネルの底面との間に配置され、前記音分離隔壁部は少なくとも前記カバーボトムの上面に接着されなければならず、表示パネルの底面には非接着構造で接触することができ、音分離隔壁部の高さ（Ｈ１）はカバーボトムと表示パネルとの間のギャップ（Ｔ）より大きいか等しいことがある。
【００２８】
音分離隔壁部と共に左側音響発生アクチュエータまたは右側音響発生アクチュエータの周囲に密閉された第１エアーギャップ空間（ＡＧ１）及び第２エアーギャップ空間（ＡＧ２）を構成するように、左側音響発生アクチュエータまたは前記右側音響発生アクチュエータの周囲の囲むように配置されるバッフル部を含むことができる。
【００２９】
この際、左側音響発生アクチュエータまたは右側音響発生アクチュエータは各々第１エアーギャップ空間（ＡＧ１）及び第２エアーギャップ空間（ＡＧ２）内で左右対称及び／又は上下対称の位置に配置できる。
【００３０】
また、バッフル部は後面支持部の上面と前記表示パネルの下面に接着される接着部材と、前記接着部材の外郭に配置されるシーリング部を含む二重構造であって、この際、接着部材の厚さ（ｔ１）より前記シーリング部の厚さ（ｔ２）がより大きいことがある。
【００３１】
また、左側または右側音響発生アクチュエータは後面支持部であるカバーボトムに備えられた支持孔に挿入固定されることができ、このために各アクチュエータに含まれる下部プレートは外側に延びる延長部をさらに含み、その延長部が後面支持部の底面に固定できる。
【００３２】
一方、低音特性の強化のために、第１エアーギャップ空間（ＡＧ１）及び第２エアーギャップ空間（ＡＧ２）の外部に配置される１以上の低音スピーカーをさらに含み、低音スピーカーは音分離隔壁部の左側に配置される左側低音スピーカーと前記音分離隔壁部の右側に配置される右側低音スピーカーを含むことができる。
【００３３】
この際、左側または右側音響発生アクチュエータにより中高音域帯の音響が放出され、低音スピーカーにより低音域帯の音響が放出され、アクチュエータによる音響特性曲線と前記低音スピーカーによる音響特性曲線との交差点の周波数は１ｋＨｚ〜１．５ｋＨｚでありうる。
【００３４】
本実施形態による表示装置は、表示パネルと、表示パネルの第１領域内の第１音響発生アクチュエータと、前記表示パネルの第２領域内の第２音響発生アクチュエータを含み、かつ前記第１及び第２音響発生アクチュエータは前記表示パネルを振動させて音響を発生させる音響発生アクチュエータ、及び第１音響発生アクチュエータと第２音響発生アクチュエータとの間の隔壁部を含むことができる。
【００３５】
他の実施形態による表示装置は、表示パネルと、前記表示パネルの第１領域及び第２領域内で、前記表示パネルを振動させて音響を発生する音響発生アクチュエータ、及び前記第１領域及び第２領域の間の隔壁部を含み、前記第１領域及び第２領域のうちの少なくとも１つは２以上の音響発生アクチュエータを含むことができる。
【００３６】
他の実施形態による表示装置は、表示パネルと、前記表示パネルの第１領域及び第２領域内で、前記表示パネルを振動させて音響を発生する音響発生アクチュエータ、及び前記第１領域及び第２領域の外側にあるスピーカーを含むことができる。
【発明の効果】
【００３７】
以下、説明するような本発明の実施形態によれば、表示パネルの左右側の一定位置に配置される左右音響発生アクチュエータと、左右音響発生アクチュエータの間に配置される音分離隔壁部と、前記音分離隔壁部と共に左右音響発生アクチュエータの周囲に囲むバッフル部を備えることによって、パネル振動型音響発生表示装置で優れるステレオ音響具現が可能な効果がある。
【００３８】
また、左右音響発生アクチュエータの中央に音分離隔壁部を形成し、音分離隔壁部の高さ、個数、表示パネルとの接着の有無などを調節することによって、左右ステレオ音響具現特性を最適化することができる。
【００３９】
また、表示パネルの中央に配置される音分離隔壁部と左右ステレオ音響具現のための左側音響発生アクチュエータ及び右側音響発生アクチュエータとの間の距離を２００ｍｍ以下に設定することによって、中高音域帯の音質弱化現象であるディップ現象（Dip）を最小化することができる。
【００４０】
左右音響発生アクチュエータを中心に第１及び第２エアーギャップ空間が対称的に形成されるように音分離隔壁部とバッフル部を配置することによって、ステレオ音響特性及び音響発生装置の耐久性及び信頼性を確保することができる効果がある。
【００４１】
また、パネルを直接振動させて中高音域音響を発生する左右音響発生アクチュエータ構造の一側に低音発生用低音スピーカーをさらに配置することによって、全可聴周波数帯域全てで優れる音響出力特性を有するようにすることができる。
【００４２】
また、表示装置の後面支持部に形成された支持孔に音響発生アクチュエータを固定することによって、優れる音響発生性能を有しながらも表示装置の厚さを減少させることができる効果がある。
【図面の簡単な説明】
【００４３】
【図１】従来の表示装置に含まれたスピーカーに対する概略的な平面図である。
【図２ａ】本発明の実施形態に従うパネル振動型音響発生装置を含む表示装置の概略図における平面図である。
【図２ｂ】本発明の実施形態に従うパネル振動型音響発生装置を含む表示装置の概略図における断面図である。
【図３ａ】本発明の左側または右側音響発生アクチュエータに使用できる２つタイプの音響発生アクチュエータの断面図である。
【図３ｂ】本発明の左側または右側音響発生アクチュエータに使用できる２つタイプの音響発生アクチュエータの断面図である。
【図４ａ】本発明の実施形態による左側または右側音響発生アクチュエータが表示パネルを振動させて音響を発生する状態を図示する。
【図４ｂ】本発明の実施形態による左側または右側音響発生アクチュエータが表示パネルを振動させて音響を発生する状態を図示する。
【図５ａ】本発明の実施形態による左側または右側音響発生アクチュエータと表示装置の後面支持部であるカバーボトムとの結合状態の一例を図示する。
【図５ｂ】本発明の実施形態による左側または右側音響発生アクチュエータと表示装置の後面支持部であるカバーボトムとの結合状態の一例を図示する。
【図６ａ】左側または右側音響発生アクチュエータとカバーボトムとの結合構造に対する他の実施形態を図示する。
【図６ｂ】左側または右側音響発生アクチュエータとカバーボトムとの結合構造に対する他の実施形態を図示する。
【図７ａ】振動板としての表示パネルとカバーボトムとの間に音響伝達用第１エアーギャップ空間（ＡＧ１）及び第２エアーギャップ空間（ＡＧ２）を形成するために、表示パネルと表示パネルの支持構造との間に形成されるバッフル部の一例を図示する。
【図７ｂ】振動板としての表示パネルとカバーボトムとの間に音響伝達用第１エアーギャップ空間（ＡＧ１）及び第２エアーギャップ空間（ＡＧ２）を形成するために、表示パネルと表示パネルの支持構造との間に形成されるバッフル部の一例を図示する。
【図７ｃ】振動板としての表示パネルとカバーボトムとの間に音響伝達用第１エアーギャップ空間（ＡＧ１）及び第２エアーギャップ空間（ＡＧ２）を形成するために、表示パネルと表示パネルの支持構造との間に形成されるバッフル部の一例を図示する。
【図８ａ】本実施形態による左側または右側音響発生アクチュエータの位置とそれに従う音響発生特性を図示する。
【図８ｂ】本実施形態による左側または右側音響発生アクチュエータの位置とそれに従う音響発生特性を図示する。
【図８ｃ】本実施形態による左側または右側音響発生アクチュエータの位置とそれに従う音響発生特性を図示する。
【図８ｄ】本実施形態による左側または右側音響発生アクチュエータの位置とそれに従う音響発生特性を図示する。
【図８ｅ】本実施形態による左側または右側音響発生アクチュエータの位置とそれに従う音響発生特性を図示する。
【図９ａ】左側または右側音響発生アクチュエータが第１エアーギャップ空間（ＡＧ１）及び第２エアーギャップ空間（ＡＧ２）内で非対称に配置される例を図示する。
【図９ｂ】左側または右側音響発生アクチュエータが第１エアーギャップ空間（ＡＧ１）及び第２エアーギャップ空間（ＡＧ２）内で非対称に配置される例を図示する。
【図１０】本実施形態による左側または右側音響発生アクチュエータが第１エアーギャップ空間（ＡＧ１）及び第２エアーギャップ空間（ＡＧ２）内で左右対称及び／又は上下対称に配置される例を図示する。
【図１１ａ】本実施形態による音分離隔壁部の細部構成を図示する。
【図１１ｂ】本実施形態による音分離隔壁部の細部構成を図示する。
【図１１ｃ】本実施形態による音分離隔壁部の細部構成を図示する。
【図１２ａ】音分離隔壁部の他の実施形態であって、３重隔壁構造を有する音分離隔壁部を図示する。
【図１２ｂ】音分離隔壁部の他の実施形態であって、３重隔壁構造を有する音分離隔壁部を図示する。
【図１３】本実施形態による図１０による実施形態を使用する場合の音響発生特性を図示する。
【図１４ａ】本実施形態による音響発生アクチュエータ構成の以外に、第１エアーギャップ空間（ＡＧ１）及び第２エアーギャップ空間（ＡＧ２）の外側に配置される低音スピーカーをさらに含む構造を図示する。
【図１４ｂ】本実施形態による音響発生アクチュエータ構成の以外に、第１エアーギャップ空間（ＡＧ１）及び第２エアーギャップ空間（ＡＧ２）の外側に配置される低音スピーカーをさらに含む構造を図示する。
【図１５】図１４による実施形態を使用した場合の音響発生特性を図示するものであって、低音スピーカーによる音響特性曲線と音響発生アクチュエータによる音響特性曲線を図示し、両音響特性曲線が交差点Ｐで交差する現象を図示する。
【発明を実施するための形態】
【００４４】
以下、本発明の一部の実施形態を例示的な図面を通じて詳細に説明する。各図面の構成要素に参照符号を付加するに当たって、同一な構成要素に対しては、たとえ他の図面上に表示されても、できる限り同一な符号を有することができる。また、本発明を説明するに当たって、関連した公知構成または機能に対する具体的な説明が本発明の要旨を曖昧にすることがあると判断される場合には、その詳細な説明は省略する。
【００４５】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質、順序、手順、または個数などが限定されるものではない。ある構成要素が他の構成要素に“連結”、“結合”、または“接続”されると記載された場合、該他の構成要素は該他の構成要素に直接的に連結または接続できるが、各構成要素の間に他の構成要素が介在されるか、または各構成要素が他の構成要素を通じて“連結”、“結合”、または“接続”されることもできると理解されるべきである。
【００４６】
図２は本実施形態に係るパネル振動型音響発生装置を含む表示装置の概略図であって、図２ａは平面図、図２ｂは断面図である。
【００４７】
図２に示すように、本実施形態による表示装置は、映像を表示する表示パネル１００と、その表示パネルの一面に接触して表示パネルを振動させて音響を発生させる音響発生アクチュエータ２００、２００’を含んで構成される。
【００４８】
一方、音響発生アクチュエータは表示パネルの左側の一部位置に配置される左側音響発生アクチュエータ２００と、表示パネルの右側の一部位置に配置される右側音響発生アクチュエータ２００’を含み、左側及び右側音響発生アクチュエータを分離する部材として音分離隔壁部６００が配置される。
【００４９】
以下、本明細書では、左側及び右側を第１側及び第２側であると異なる表現を使うことができ、左側音響発生アクチュエータ及び右側音響発生アクチュエータを各々第１音響発生アクチュエータ及び第２音響発生アクチュエータと表現することができる。
【００５０】
また、音分離隔壁部及び後面支持部を単純に隔壁部及び支持部と表現することもできる。
【００５１】
音分離隔壁部６００は、表示パネルの上下方向に延長され、かつ表示パネル１００と後面支持部であるカバーボトム３００との間に配置される隔壁構造物であって、左側音響発生アクチュエータ２００で発生する音響と右側音響発生アクチュエータ２００’で発生する音響とを分離することによって、両音響の干渉などによる音響特性の低下を防止するためのものである。
【００５２】
このような音分離隔壁部６００は、フォームパッドまたは一面／両面テープで構成されることができ、少なくともカバーボトムの上面には接着されなければならず、表示パネルの底面とは接着または非接着形態に接触できる。
【００５３】
また、音分離隔壁部６００はステレオ音響の音分離機能と共に低音放出特性を維持するために、表示パネルの底面には非接着形態に接触することができ、音分離隔壁部６００の高さ（Ｈ１）は表示パネル１００とカバーボトム３００との間の間隔（Ｔ）、即ち第１または第２エアーギャップ空間７００、７００’の厚さと等しいか大きいことがある。
【００５４】
以下、第１エアーギャップ空間及び第２エアーギャップ空間を各々第１空間及び第２空間と同一な意味として使用する。
【００５５】
このような音分離隔壁部６００の細部構成に対しては、以下に図１１を参考しつつ、より詳細に説明する。
【００５６】
一方、中高音帯域の音圧弱化現象であるディップ（Dip）現象を最小化するために、音分離隔壁部と左側音響発生アクチュエータまたは前記右側音響発生アクチュエータとの間の距離（ｄ）は２００ｍｍ以下にすることができ、これに対しては図８を参考しつつ以下に詳細に説明する。
【００５７】
図４でより詳細に説明するが、左側音響発生アクチュエータ２００または右側音響発生アクチュエータ２００’は、マグネットと、マグネットを支持するプレートと、プレートの中央領域に突出形成されるセンターポールと、前記センターポールの周囲を囲むように配置され、音響発生用電流が印加されるコイルが巻き取られたボビンを含み、前記ボビンの先端部が前記表示パネルの一面に接触するように配置される。
【００５８】
また、図２ｂに示すように、表示装置は表示パネルの後面または側面のうちの１つ以上を支持する後面支持部を含むことができ、音響発生アクチュエータのプレートはその支持構造に固定される。
【００５９】
一方、左側音響発生アクチュエータ２００または右側音響発生アクチュエータ２００’は同一な構造を有することができるので、以下の明細書では左側音響発生アクチュエータ２００及び右側音響発生アクチュエータ２００’のうち、１つを代表して音響発生アクチュエータと表現することにする。
【００６０】
後面支持部は表示パネルの後面に配置されるカバーボトム３００を含み、表示パネルの側面を囲みながら前記カバーボトムと結合され、表示パネルの一側縁を収容して支持するミドルキャビネット５００をさらに含むことができる。
【００６１】
後面支持部を構成するカバーボトム（Cover Bottom）は、表示装置の後面の全体に亘って延びる金属またはプラスチック材質の板状部材でありうる。
【００６２】
一方、本明細書でのカバーボトム３００はその用語に限定されるものではなく、プレートボトム（Plate Bottom）、バックカバー（Back Cover）、ベースフレーム（Base Frame）、メタルフレーム（Metal Frame）、メタルシャーシ（Metal Chassis）、シャーシベース（Chassis Base）、ｍ−シャーシなど、他の表現で使われることができ、表示パネルを支持する支持体であって、表示装置の後方基底部に配置される全ての形態のフレームまたは板状構造物を含む概念として理解されるべきである。
【００６３】
本明細書で、“表示装置”という用語は、表示パネルと表示パネルを駆動するための駆動部を含む液晶モジュール（Liquid Crystal Module；ＬＣＭ）、有機発光表示モジュール（OLED Module）のような狭義の表示装置は勿論、そのようなＬＣＭ、ＯＬＥＤモジュールなどを含む完成品であるノートブックコンピュータ、ＴＶ、コンピュータモニター、スマートフォン、または電子パッドのようなモバイル電子装置などのセット電子装置、またはセット装置までも含む概念として使用する。
【００６４】
即ち、本明細書での表示装置は、ＬＣＭ、ＯＬＥＤモジュールのような狭義のディスプレイ装置は勿論、それを含む応用製品であるセット装置まで含む意味として使用する。
【００６５】
但し、場合によっては、表示パネルとその駆動部などで構成されるＬＣＭ、ＯＬＥＤモジュールを狭義の“表示装置”と表現し、そのようなＬＣＭ、ＯＬＥＤモジュールを含む完成品としての電子装置を“セット装置”に区別して表現することもできる。例えば、狭義の表示装置は液晶（ＬＣＤ）または有機発光（ＯＬＥＤ）表示パネルとそれを駆動するための制御部であるソースＰＣＢを含み、セット装置はソースＰＣＢに電気的に連結されてセット装置の全体を制御するセット制御部であるセットＰＣＢをさらに含む概念でありうる。
【００６６】
本実施形態に使われる表示パネル１００は、液晶表示パネル、有機電界発光（ＯＬＥＤ：Organic Light Emitting Diode）表示パネル、プラズマ表示パネル（ＰＤＰ：Plasma Display Panel）は全ての形態の表示パネルが使われることができ、音響発生アクチュエータ２００により直接振動されることによって音波を発生できる限り、特定の表示パネルに限定されるものではない。
【００６７】
より詳しくは、表示パネルが液晶表示パネルの場合には、多数のゲートラインとデータライン及びその交差領域に定義されるピクセル（Pixel）と、各ピクセルでの光透過度を調節するためのスイッチング素子である薄膜トランジスタを含むアレイ基板と、カラーフィルタ及び／又はブラックマトリックスなどを備えた上部基板と、その間に形成される液晶物質層を含んで構成できる。
【００６８】
また、表示パネルが有機電界発光（ＯＬＥＤ）表示パネルの場合には、多数のゲートラインとデータライン及びその交差領域に定義されるピクセル（Pixel）と、各ピクセルに選択的に電圧を印加するための素子である薄膜トランジスタを含むアレイ基板と、アレイ基板上の有機発光素子（ＯＬＥＤ）層、及び有機発光素子層を覆うようにアレイ基板上に配置される封止基板またはエンカプセレーション（Ｅｎｃａｐ．）基板などを含んで構成できる。封止基板は外部の衝撃から前記薄膜トランジスタ及び有機発光素子層などを保護し、前記有機発光素子層への水分の侵入を防止する。
【００６９】
本実施形態による表示装置に使われる表示パネルはその形態に制限はないが、以下のような理由により有機電界発光表示パネルのものがより好ましい。
【００７０】
具体的に、液晶表示パネルの場合、積層されるレイヤが多く、別途の光源が配置された間接光源方式のバックライトが備えられなければならないので、音響発生アクチュエータ２００により直接振動される場合、液晶材料の方向性が揺れて、それによって画像の歪みが発生することがある。
【００７１】
一方、有機発光（ＯＬＥＤ）表示パネルの有機発光素子は自発光素子に該当して別途の光源を必要とせず、偏光レイヤ（ＰＯＬ）、ガラスレイヤ、エンカプセレーションレイヤ（Ｅｎｃａｐ．）などの種々のレイヤが１つのパネルに合紙されているので、音響発生アクチュエータ２００により直接振動されても有機発光層の発光特性に影響がほとんどないので画像の歪みが発生しない。したがって、本実施形態では有機発光表示パネルを使用することがより好ましい。
【００７２】
一方、本実施形態による表示装置に使われる表示パネルは一般的な構造を有するので、表示パネルに対するより具体的な説明は省略する。
【００７３】
また、本実施形態による表示装置は、後面支持部であるカバーボトム３００またはミドルキャビネット５００と表示パネルとの間に配置されて発生した音波を伝達させる空間である第１エアーギャップ空間７００（ＡＧ１）及び第２エアーギャップ空間７００’（ＡＧ２）を形成するためのバッフル部４００をさらに含むことができる。
【００７４】
即ち、図２に示すように、表示パネルとカバーボトム３００との間の４辺密閉型シーリング構造としてのバッフル部４００が形成され、そのバッフル部と音分離隔壁部６００により左側音響発生アクチュエータ２００の周囲には第１エアーギャップ空間７００が形成され、右側音響発生アクチュエータ２００’の周囲には第２エアーギャップ空間７００’が形成される。
【００７５】
このような第１エアーギャップ空間７００（ＡＧ１）及び第２エアーギャップ空間７００’（ＡＧ２）は左側または右側音響発生アクチュエータにより表示パネルが振動する時、音響が発生する密閉空間として機能する。
【００７６】
この際、左側音響発生アクチュエータまたは右側音響発生アクチュエータは、各々第１エアーギャップ空間（ＡＧ１）及び第２エアーギャップ空間（ＡＧ２）内で左右対称及び／又は上下対称の位置に配置されて、ステレオ音響特性及び音響発生装置の耐久性及び信頼性を確保することができ、このような構成に対しては図９を参考しつつ以下に詳細に説明する。
【００７７】
バッフル部４００は、カバーボトムまたはミドルキャビネットの縁部に配置され、かつ表示パネルの底面と接着される接着部４１２と接着部の外郭に配置されて第１エアーギャップ空間７００及び第２エアーギャップ空間７００’の封入性をさらに提供するシーリング部４１４を含んで構成できる。
【００７８】
この際、接着部４１２は両面テープ（Double-side Tape）であって、図７でより詳細に説明するように、接着部４１２の高さよりシーリング部４１４の高さをより大きくすることができる。
【００７９】
このようなバッフル部の細部構造に対しては図７を参考しつつ以下に詳細に説明する。
【００８０】
図３は、本発明の左側または右側音響発生アクチュエータに使用できる２つタイプの音響発生アクチュエータの断面図である。
【００８１】
本実施形態に使われる左側または右側音響発生アクチュエータ２００、２００’は、永久磁石であるマグネット２２０と、そのマグネットを支持するプレート２１０、２１０’と、プレートの中央領域に突出するセンターポール２３０と、前記センターポール２３０の周囲に囲むように配置されるボビン２５０と、ボビンの外郭に巻き取られて音響発生のための電流が印加されるコイル２６０などを含んで構成できる。
【００８２】
一方、本実施形態に使われる音響発生アクチュエータは、マグネットがコイルの外側に配置される第１構造と、マグネットがコイルの内側に配置される第２構造を両方とも含むことができる。
【００８３】
図３ａはマグネットがコイルの外側に配置される第１構造であって、ダイナミックタイプまたは外磁型と表現できる。
【００８４】
このような第１構造による音響発生アクチュエータは、下部プレート２１０がカバーボトム３００に形成される支持孔３１０に固定され、下部プレートの外郭に環状の永久磁石であるマグネット２２０が配置される。
【００８５】
マグネット２２０の上部には上部プレート２１０’が配置され、上部プレートの外郭には上部プレートから突出形成される外部フレーム２４０が配置される。
【００８６】
一方、下部プレート２１０の中央領域にはセンターポール２３０が突出して配置され、センターポール２３０の周囲を囲むボビン２５０が配置される。
【００８７】
ボビン２５０の下側部の周囲にはコイル２６０が巻き取られており、このコイルに音響発生用電流が印加される。
【００８８】
一方、ボビンの上側の一部と外部フレーム２４０との間にはダンパ２７０が配置できる。
【００８９】
下部プレート２１０及び上部プレート２１０’は、マグネット２２０を支持しながら音響発生アクチュエータ２００をカバーボトム３００に固定させる構成であって、下部プレート２１０は図３ａに示すように円形に備えられ、前記下部プレート２１０上にリング形状に備えられたマグネット２２０が備えられ、マグネット上に上部プレート２１０が備えられる。
【００９０】
そして、下部プレート２１０及び上部プレート２１０’がカバーボトム３００に結合されることによって、下部プレート２１０と上部プレート２１０’との間に位置したマグネット２２０が固定支持できる。
【００９１】
プレートは、鉄（Ｆｅ）のように磁性を有する物質からなることができる。プレートはその用語に限定されるものではなく、ヨークなど、他の用語で表現できる。
【００９２】
一方、センターポール２３０と下部プレート２１０とは一体形成されることもできる。
【００９３】
ボビン２５０は紙またはアルミニウムシートなどで形成される環状構造物であって、ボビンの下側の一定領域の周囲にコイル２６０が巻き取られる。このようなボビンとコイルとを合せてボイスコイルと表現することができる。
【００９４】
コイルに電流が印加されれば、コイルの周囲に磁場が形成され、マグネット２２０により形成される外部磁場があるため、フレミングの法則に従って、ボビンの全体がセンターポールによりガイドされながら上側に移動する。
【００９５】
一方、ボビン２５０の先端部は表示パネル１００の後面に接触しているため、電流印加及び非印加状態によって表示パネルを振動させるようになり、このような振動により音波が発生する。
【００９６】
マグネット２２０はバリウムフェライトなどの焼結磁石を用いることができ、材質は酸化第２鉄（Ｆｅ２Ｏ３）、炭酸バリウム（ＢａＣＯ３）、磁力成分が改善されたストロンチウムフェライト、アルミニウム（Ａｌ）、ニッケル（Ｎｉ）、コバルト（Ｃｏ）の合金鋳造磁石などが使用できるが、それに限定されるものではない。
【００９７】
一方、ボビン２５０の上側の一部と外部フレーム２４０との間にはダンパ２７０が配置され、ダンパ２２０は蛇腹構造で備えられて、ボビンの上下運動によって収縮及び弛緩しながら前記ボビンの上下振動を調節する。即ち、ダンパ２７０がボビン２５０と外部フレーム２４０に各々連結されているので、ボビンの上下振動はダンパ２７０の復原力により制限され、具体的に、ボビン２７０が一定高さ以上に振動するか、または一定高さ以下に振動する場合、ダンパ２７０の復原力によりボビンが原位置に原状復帰できる。
【００９８】
このようなダンパはエッジなど、他の用語で表現できる。
【００９９】
一方、図３ｂはマグネットがコイルの内側に配置される第１構造であって、マイクロタイプまたは内磁型と表現できる。
【０１００】
このような第２構造による音響発生アクチュエータは、下部プレート２１０がカバーボトム３００に形成される支持孔３１０に固定され、下部プレートの中央領域にマグネット２２０が配置され、マグネットの上部にセンターポールが延長形成される。
【０１０１】
上部プレート２１０’は下部プレートの外郭の周辺に突出形成され、上部プレートの外側には外部フレーム２４０が配置される。
【０１０２】
マグネット２２０とセンターポール２３０の周囲を囲むようにボビン２５０が配置され、ボビンの外郭にはコイル２６０が巻き取られる。
【０１０３】
また、外部フレーム２４０とボビンとの間にはダンパ２７０が配置される。
【０１０４】
このような第２方式の音響発生アクチュエータはマグネットが外側に配置される第１方式に比べて漏洩磁束が小さく、全体的な大きさを小さくすることができるが、大きい電流入力による磁束減少現象が生じることがあり、製造が難しいという特徴がある。
【０１０５】
本実施形態では、第１方式または第２方式によるアクチュエータ全てが使われることができ、便宜上、以下では第１方式による構造を代表して説明する。
【０１０６】
また、本実施形態による表示装置に使われる音響発生アクチュエータは、図３に図示した形態に限定されるものではなく、電流印加によって表示パネルを上下に振動させて音響を発生できる限り、他の種類のアクチュエータが使われてもよい。
【０１０７】
図４は、本発明の実施形態による左側または右側音響発生アクチュエータが表示パネルを振動させて音響を発生する状態を図示する。
【０１０８】
図４ａは電流が印加された状態であって、マグネットの下面と連結されたセンターポールがＮ極となり、マグネットの上面と連結された上部プレートがＳ極となって、コイルの間に外部磁場が形成される。
【０１０９】
この状態で音響発生用電流がコイルに印加されれば、コイルの周囲に印加磁場が生成されるが、印加磁場と外部磁場によりボビンを上側に移動する力が発生する。
【０１１０】
したがって、図４ａのようにボビンが上側に移動し、ボビンの先端部に接触している表示パネルが上側に振動する。
【０１１１】
この状態で電流印加が中止されるか、または反対方向の電流が印加されれば、図４ｂのように、類似の原理によってボビンを下側に移動させる力が発生し、したがって、表示パネルが下側に振動する。
【０１１２】
このように、コイルへの電流印加方向と大きさによって、表示パネルが上下に振動するようになり、このような振動により音波が発生する。
【０１１３】
図５は、本発明の実施形態による左側または右側音響発生アクチュエータと表示装置の後面支持部であるカバーボトムとの結合状態の一例を図示する。
【０１１４】
図６は、音響発生アクチュエータとカバーボトムとの結合構造に対する他の実施形態を図示する。
【０１１５】
以下、同一な構造である左側音響発生アクチュエータ２００または右側音響発生アクチュエータ２００’のうち、１つを代表して音響発生アクチュエータと表現することにし、それは残りの音響発生アクチュエータにも同一に適用できる。
【０１１６】
本実施形態による音響発生アクチュエータ２００は、表示装置の支持構造であるカバーボトムまたはバックカバー上に形成された支持孔に貫通支持されることができ、図５から図６は種々の支持構造を図示する。
【０１１７】
図５の支持構造では、カバーボトム３００には支持孔３１０が貫通形成され、音響発生アクチュエータ２００の下部プレート２１０、マグネット２２０、及び上部プレート２１０’のうち、１つ以上がその支持孔の内部に収容されるように挿入される。
【０１１８】
下部プレート２１０の底面には下部プレートの外側に延長形成される延長部２１２がさらに形成され、このような延長部２１２がカバーボトム３１０の底面に固定されることによって、音響発生アクチュエータ２００をカバーボトムに取り付けることができる。
【０１１９】
このように、音響発生アクチュエータ２００をカバーボトムに形成された支持孔に挿入される形態に固定すれば、表示パネルとカバーボトムとの間の距離を減少させることができるので、表示装置の厚さを小さくすることができる効果がある。
【０１２０】
即ち、表示パネルとカバーボトムとの間には表示パネルが振動することができる空間である第１エアーギャップ空間及び第２エアーギャップ空間が存在しなければならないが、音響発生アクチュエータをカバーボトムの支持孔に挿入／固定される形態に構成すれば、表示パネルの後面とカバーボトムの内面との間に配置される音響発生アクチュエータの高さを小さくすることができるので、エアーギャップを最小化することができる。
【０１２１】
図５は、音響発生アクチュエータをカバーボトムに固定するに当たって、カバーボトムの後面にねじ孔を形成し、下部プレートの延長部２１２に形成された貫通孔を通じてボルト３２０またはねじをカバーボトムのねじ孔に締結して固定する方式である。
【０１２２】
一方、図６ａは単純なねじ結合形態でなく、カバーボトム３００と下部プレートの延長部２１２との間に一定の距離を確保することができるペムナット（Pem Nut）３３０、またはセルフクリンチングナット（self clinching nut）を配置した後、ボルト３２０により固定する方式である。
【０１２３】
図６ａのように、ペムナット（Pem Nut）３３０、またはセルフクリンチングナット（self clinching nut）を利用すれば、音響発生アクチュエータとカバーボトムとの間に一定の空間が確保されるので、アクチュエータの振動がカバーボトムに伝達されることを最小化することができる長所がある。
【０１２４】
また、図６ｂでは、アクチュエータの下部プレートの延長部２１２とカバーボトムとの間に両面テープ（Double Side Tape）のような接着部材を配置して接着固定する方式である。
【０１２５】
図６ｂのように、接着部材を用いる場合、接着部材の弾性と厚さを適切に調節すれば、接着部材が一種のダンパの役割をするようになり、したがって、アクチュエータの振動がカバーボトムに伝達されることを最小化することができる長所がある。
【０１２６】
図５及び図６のように、表示パネルと接触して表示パネルを直接振動させる音響発生アクチュエータ２００をカバーボトムに形成された支持孔に挿入固定する方式を採択することによって、アクチュエータが表示装置の内部に完全に収容される場合に比べて表示装置の厚さを減少させることができる効果を有することができる。
【０１２７】
図７は、振動板としての表示パネルとカバーボトムとの間に第１エアーギャップ空間７００、第２エアーギャップ空間７００’を形成するために、表示パネルと表示パネルの支持構造のうちの１つであるミドルキャビネットとの間に形成されるバッフル部の一例を図示する。
【０１２８】
勿論、以下に説明するバッフル部は必ずミドルキャビネットと表示パネルとの間に形成される必要はないし、図１０の以下のようにバッフル部が表示装置の外郭より内側に形成される場合にはバッフル部は表示パネルとカバーボトムとの間に配置できる。
【０１２９】
図７ａに示すように、本実施形態によるパネル振動型音響発生装置では表示パネル１００と支持構造（カバーボトム；３００など）との間に右側音響発生アクチュエータ２００’によりパネルが振動できる空間である第２エアーギャップ空間７００’を確保しなければならない。
【０１３０】
即ち、表示パネルが振動する時、音波が発生できるように表示パネルの一側が表示パネルの支持構造に接合されなければならず、特に発生した音響が表示装置の側面などを通じて外部に漏洩されてはならないので、このような目的のために、本実施形態による表示装置では表示パネルの下面と支持構造との間に一定のバッフル部４００を形成する。
【０１３１】
より具体的に、音響発生アクチュエータの周囲の一定の区画（即ち、エアーギャップ空間）が定義され、その区画の縁部には表示パネルの下面とミドルキャビネットまたはカバーボトムの上面との間にバッフル部が配置されるものである。
【０１３２】
この際、バッフル部４００は表示パネルの底面と表示装置の支持構造の上面との間に接着される両面テープのような接着部材４１２と接着部材の外郭にさらに配置されるシーリング部４１４を含んで構成できる。
【０１３３】
この際、バッフル部が形成される区画は表示パネルの外郭の４個の辺として定義される全体表示パネル領域でありうるが、それに限定されるものではなく、図１０などで説明するように、表示パネルの外郭の内側に４辺を有する領域として定義できる。
【０１３４】
図７のように、表示装置の支持構造は表示パネルの後面の全体をカバーするカバーボトム３００の以外に、カバーボトムに結合され、表示パネルの一部を安着するためのミドルキャビネット５００をさらに含むことができる。
【０１３５】
ミドルキャビネット５００は表示パネルの外郭に沿って形成されるフレーム形態の部材であって、表示パネルの一部が安着する水平支持部５０２と、前記水平支持部から両側に折曲形成されてカバーボトムの側面及び表示パネルの側面をカバーする垂直支持部５０４を含んで、全体的にＴ字断面形状を有することができる。
【０１３６】
このようなミドルキャビネット５００は、表示装置またはセット装置の側面外観部を構成し、場合によっては、使われないか、またはカバーボトムと一体形成できる。
【０１３７】
図７の実施形態によれば、バッフル部４００を構成する接着部材４１２はミドルキャビネット５００の水平支持部の上面と表示パネルとの間に配置される両面テープであって、表示パネルの下面をミドルキャビネットに接着固定する機能をする。
【０１３８】
また、バッフル部を構成するシーリング部４１４は接着部材の外郭にさらに配置され、接着部材の厚さまたは高さより大きい厚さまたは高さを有することが好ましい。
【０１３９】
シーリング部４１４は弾性の大きいゴムなどの材質で構成されることができ、図７ｂに示すように、接着部材４１２の厚さ（ｔ１）より大きい厚さｔ２を有する。
【０１４０】
即ち、図７ｂのように、ミドルキャビネット５００の水平支持部５０２の上面の内側部分に厚さｔ１を有する両面テープである接着部材４１２の一面を接着配置し、接着部材の外郭にｔ１より大きい厚さを有する弾性材料のシーリング部４１４を配置する。
【０１４１】
その状態で、表示パネル１００を接着部材４１２の他接着面に付着させれば、より大きい厚さを有するシーリング部４１４が一定程度圧迫されながら表示パネルとミドルキャビネットとが接着される。（図７ｃ）
【０１４２】
したがって、音響発生アクチュエータの周囲の第２エアーギャップ空間７００’（ＡＧ２）の封入性がより向上できる。
【０１４３】
図７ｃのように、ミドルキャビネットの水平支持部５０２と接着部材４１２の厚さだけの第２エアーギャップ空間７００’（ＡＧ２）が形成されながら表示パネル１００とカバーボトム３００とが結合されることによって、表示パネルが音響を発生させることができる振動空間が確保できると共に、内部で発生した音波が表示装置の側面に沿って外部に流出することを防止することができる。
【０１４４】
特に、エアーギャップ空間の縁部に配置されるバッフル部４００を接着部材４１２とシーリング部４１４の二重構造にし、かつシーリング部の厚さをより大きく形成することによって、エアーギャップ空間の封入性をより向上させて音響の流出をさらに遮断することができる効果がある。
【０１４５】
本明細書でのミドルキャビネット５００は、ガイドパネル（Guide Panel）、プラスチックシャーシ、ｐ−シャーシ、サポートメイン、メインサポート、モールドフレームなど、他の表現に取り替えることができ、多数の折曲部がある断面形状を有する四角フレーム形状の構造物であって、カバーボトムに連結されて表示パネル及びバッフル部を支持するために使われる全ての形態の部材を含むものとして理解されるべきである。
【０１４６】
このようなミドルキャビネット５００は、ポリカーボネート（polycarbonate）のような合成樹脂のモールド材質からなり、射出成形方式により製作できるが、それに限定されるものではない。
【０１４７】
一方、カバーボトムと表示パネルとの間を支持するためにミドルキャビネットが使用できるが、このようなミドルキャビネットは必ず必要な構造であるものではない。
【０１４８】
即ち、表示装置がミドルキャビネット無しでカバーボトムまたはバックカバーのみの支持構造を有するか、または図１０のように第１または第２エアーギャップ空間が表示装置の外郭の内側の一部領域に定義される場合には、図７で説明したバッフル部はカバーボトムの上面と表示パネルの底面との間に配置できる。
【０１４９】
この時には、両面テープ形態の接着部材４１２がカバーボトムの上面の一部に配置され、接着部材の厚さより大きい厚さを有するシーリング部４１４が接着部材の外側に配置できる。
【０１５０】
この状態で表示パネル１００がカバーボトムと結合されれば、シーリング部４１４が圧着されながら音響伝達のための第２エアーギャップ空間７００’の封入が確保できる。
【０１５１】
図８の実施形態を用いると、ミドルキャビネットのような中間支持構造がなくなりながら構造が簡単になり、エアーギャップ空間の縁部に配置されるバッフル部４００を接着部材４１２とシーリング部４１４の二重構造にし、かつシーリング部の厚さをより大きく形成することによって、表示パネルが音響を発生させることができる振動空間を確保することができると共に、内部で発生した音波が表示装置の側面に沿って外部に流出することを防止する効果を有することができる。
【０１５２】
本実施形態で、エアーギャップ空間の厚さ、即ちエアーギャップ空間での表示パネルとカバーボトムとの間の距離（Ｔ）は約０．８~２．５ｍｍに定まることができるが、それに限定されるものではなく、表示パネルの振動程度などによって他の範囲に定まることができる。
【０１５３】
図８は、本実施形態による左側または右側音響発生アクチュエータの位置と、それに従う音響発生特性を図示する。
【０１５４】
図８ａに図示した実施形態では、左側音響発生アクチュエータ２００及び右側音響発生アクチュエータ２００’が中央の音分離隔壁部から左右に各々隔離距離ｄだけ離隔して配置される。
【０１５５】
この際、左側または右側音響発生アクチュエータと音分離隔壁部との間の隔離距離ｄが大きいほどステレオ音響特性は優れるになる。
【０１５６】
即ち、左側及び右側音響発生アクチュエータの間が遠ざかるほど両アクチュエータで発生する音響の左右分離が確実になるので、ステレオ特性が良くなることができる。
【０１５７】
しかしながら、両アクチュエータの隔離距離が長くなる場合、ステレオ音響の具現のために両アクチュエータに印加される音響発生電流または電圧信号が互いに異なる場合、両アクチュエータで発生した音波が互いに干渉を起こして特定の周波数帯域で音響出力（音圧）が減少する現象が発生する。
【０１５８】
特に、このような音圧減少現象は左側または右側音響発生アクチュエータと音分離隔壁部との間の隔離距離ｄによって１０ｋＨｚ以上の中高音域帯域で音圧が急激に減少する現象が発生することを確認し、このような中高音域帯域での音圧減少現象をディップ（Dip.）現象と表現することができるが、それに限定されるものではない。
【０１５９】
特に、実験結果、表示パネルの左右長さにかかわらず、左右音響発生アクチュエータの間の隔離距離２ｄが約４００ｍｍを基準（即ち、音分離隔壁部と両側アクチュエータとの間の隔離距離ｄが約２００ｍｍ）に、両アクチュエータがそれより遠く離隔するほど補正不可能な程度にディップ現象が激しくなることを確認することができ、これに対し、以下に詳細に説明する。
【０１６０】
図８ｂから図８ｅは、左右アクチュエータの各々と中央の音分離隔壁部との間の隔離距離ｄが各々７０ｍｍ、１５０ｍｍ、２００ｍｍ、２５０ｍｍの場合に対し、１ワット（Ｗ）出力基準に１ｍ前方位置で測定した周波数帯域別音響出力量（音圧）を測定した実験結果を図示する。
【０１６１】
特定周波数帯域での音圧を測定する方法として、通常的に約２００〜５００Ｈｚでの平均音圧レベル（Sound Pressure Level；ＳＰＬ）を基準音圧として定義した後、特定周波数帯域で測定された音圧が基準音圧と差があるのかを決定することができる。
【０１６２】
図８ｂから図８ｅの実験でもこのような方式を利用し、本実施形態による音響発生装置の周波数帯域別音圧測定結果、２００〜５００Ｈｚでの平均音圧である基準音圧は約７４〜７５ｄＢと測定され、それを基準に中高音域帯域、特に１５ｋＨｚでの音圧平均が基準音圧からどれくらい減少したのかを測定した。図８ｂから図８ｅで、実線は実際測定音圧であり、点線は平均値（中間値）を取ったものである。
【０１６３】
一般的な人間が聴取することができる高音域帯は１５ｋＨｚ以下であるので、図８のテストでは１５ｋＨｚでの音圧平均を測定したものである。
【０１６４】
一般的に、特定周波数帯域での平均出力音圧が基準音圧対比±１０ｄＢ以内の場合には、イコライザーのようなソフトウェア的なアンプチューニングにより補正可能であるが、基準音圧対比±１０ｄＢを外れる場合には補正が不可能であるので、音響出力特性が悪くなる。
【０１６５】
図８ｂのように、左右アクチュエータの各々と中央の音分離隔壁部との間の隔離距離ｄが各々７０ｍｍの場合には、可聴周波数帯域で最も高い１５ｋＨｚでの平均出力音圧が約６８ｄＢであって、基準音圧である約７４〜７５ｄＢより１０ｄＢ以内の範囲内にあるので、補正可能な範囲であることが分かる。
【０１６６】
類似するように、図８ｃ及び図８ｄのように、アクチュエータの各々と中央の音分離隔壁部との間の隔離距離ｄが各々１５０ｍｍ及び２００ｍｍの場合にも、１５ｋＨｚでの平均出力音圧が各々約６６ｄＢ及び約６４ｄＢであって、基準音圧である約７４〜７５ｄＢより１０ｄＢ以内の範囲内にあるので、補正可能な範囲であることが分かる。
【０１６７】
一方、図８ｅのように、アクチュエータの各々と中央の音分離隔壁部との間の隔離距離ｄが各々２５０ｍｍになる場合には、１５ｋＨｚでの平均出力音圧が各々約６０ｄＢ以下となって基準音圧より１０ｄＢ以上低くなることによって、補正が不可能な状態になることが分かる。
【０１６８】
特に、アクチュエータの各々と中央の音分離隔壁部との間の隔離距離ｄが２００ｍｍの場合を基準に、隔離距離ｄが２００ｍｍ以上になる場合には、１５ｋＨｚでの平均出力音圧が基準音圧に比べて１０ｄＢ以上減少する現象が発生した。
【０１６９】
したがって、本実施形態では中高音帯域での音圧減少現象を補正可能な程度に維持するために、左側音響発生アクチュエータ２００または右側音響発生アクチュエータ２００’と音分離隔壁部６００との間の隔離距離ｄを２００ｍｍ以下に構成することができる。
【０１７０】
一方、両音響発生アクチュエータの間の隔離距離が近づくほど左右音響分離によるステレオ特性が低下するので、一定以上のステレオ音響特性を維持するために両音響発生アクチュエータの間の隔離距離２ｄを約２００ｍｍ以上に設定することができる。
【０１７１】
結果的に、本実施形態では左側音響発生アクチュエータ２００または右側音響発生アクチュエータ２００’と音分離隔壁部６００との間の隔離距離ｄを約１００ｍｍ以上約２００ｍｍ以下に設定することによって、ステレオ音響特性を一定以上に維持しながらも、中高音域帯域での音圧減少現象であるディップ（Dip）現象を補正可能な水準に維持することができる。
【０１７２】
図９は、左側または右側音響発生アクチュエータが第１エアーギャップ空間（ＡＧ１）及び第２エアーギャップ空間（ＡＧ２）内で非対称に配置される例を図示する。
【０１７３】
図８で説明したように、中高音域帯でのディップ現象を最小化するために両音響発生アクチュエータの隔離距離（２ｄ）を約４００ｍｍ以下に設定する場合、もし表示パネルの左右長さ（即ち、横方向長さ）に従って左側音響発生アクチュエータ２００及び右側音響発生アクチュエータ２００’の第１エアーギャップ空間（ＡＧ１）及び第２エアーギャップ空間（ＡＧ２）内での位置が非対称的に決定できる。
【０１７４】
例えば、表示パネルの左右長さ（即ち、横方向長さ）が８００ｍｍ以下の場合には、音分離隔壁部６００と左側または右側音響発生アクチュエータとの間の隔離距離ｄを２００ｍｍ以下で適切に選択することによって、左側音響発生アクチュエータ２００及び右側音響発生アクチュエータ２００’を各々第１エアーギャップ空間（ＡＧ１）及び第２エアーギャップ空間（ＡＧ２）内で左右基準に中央に配置することができる。
【０１７５】
しかしながら、最近表示パネルの大型化によって表示パネルの左右長さ（即ち、横方向長さ）が１０００ｍｍ以上になる場合が多いし、この場合、左側音響発生アクチュエータ２００または右側音響発生アクチュエータ２００’と音分離隔壁部６００との間の隔離距離ｄを約２００ｍｍ以下に設定するようになれば、図９ａに示すように、各音響発生アクチュエータと音分離隔壁部との間の隔離距離ｄと、各音響発生アクチュエータとバッフル部の両側垂直辺との間の隔離距離ｄ’は互いに相異する値を持たざるをえない。
【０１７６】
即ち、左側音響発生アクチュエータ２００は第１エアーギャップ空間７００の左右対称位置でなく右側に偏った地点に配置され、同様に右側音響発生アクチュエータ２００’は第２エアーギャップ空間７００’の左右対称位置でなく左側に偏った地点に配置される。
【０１７７】
このように、左側音響発生アクチュエータ２００及び右側音響発生アクチュエータ２００’が第１エアーギャップ空間（ＡＧ１）及び第２エアーギャップ空間（ＡＧ２）の左右非対称位置に配置される場合、各エアーギャップ空間内で表示パネルの偏振動が発生し、それによって音響特性が劣化できるだけでなく、表示装置の耐久性または信頼性が悪くなることがある。
【０１７８】
即ち、各アクチュエータがエアーギャップ空間内での片側に配置される場合、各エアーギャップ空間に含まれる表示パネル領域の中央を振動中心とせず、一側に偏った地点を振動中心とする偏振動が発生することがある。
【０１７９】
このような偏振動によれば、エアーギャップ空間内に含まれる表示パネル領域の各位置別振動量が変わるようになるので、音響出力特性が悪くなるだけでなく、長時間偏振動する場合、表示パネルの耐久性または信頼性が劣化する可能性がある。
【０１８０】
図１０は、本実施形態による左側または右側音響発生アクチュエータが第１エアーギャップ空間（ＡＧ１）及び第２エアーギャップ空間（ＡＧ２）内で左右対称及び／又は上下対称に配置される例を図示する。
【０１８１】
図９で説明した短所を解決するために、図１０に図示した実施形態では左側及び右側音響発生アクチュエータ２００、２００’が第１エアーギャップ空間８００及び第２エアーギャップ空間８００’内で左右対称及び／又は上下対称の位置に配置できるように、バッフル部１４００を表示パネルの外郭より内側に形成することができる。
【０１８２】
より具体的に、前述した音分離隔壁部６００と共に左側音響発生アクチュエータまたは右側音響発生アクチュエータの周囲に密閉された第１エアーギャップ空間（ＡＧ１）及び第２エアーギャップ空間（ＡＧ２）を構成するように、左側音響発生アクチュエータまたは前記右側音響発生アクチュエータの周囲を囲むように配置されるバッフル部１４００を配置し、かつ左側音響発生アクチュエータは第１エアーギャップ空間（ＡＧ１）の左右長さの中央に配置され、右側音響発生アクチュエータは前記第２エアーギャップ空間（ＡＧ２）の左右長さの中央に配置し、左側音響発生アクチュエータは第１エアーギャップ空間（ＡＧ１）の上下長さの中央に配置され、右側音響発生アクチュエータは第２エアーギャップ空間（ＡＧ２）の上下長さの中央に配置されるように構成する。
【０１８３】
即ち、図１０に示すように、左側音響発生アクチュエータ２００が音分離隔壁部６００とバッフル部１４００の左側垂直辺から同一な左右隔離距離ｄを有し、バッフル部１４００の上部辺と下部辺から同一な上下隔離距離ｈを有するように配置される。
【０１８４】
このために、バッフル部１４００は図２などに示すように、表示パネルの外郭部に沿って形成されることとは異なり、表示パネルの外郭の内側に形成されなければならない。
【０１８５】
勿論、この場合のバッフル部１４００は図７などで説明したように、カバーボトム３００の上面及び表示パネルの下面に接着される接着部材４１２と、その接着部材の外側に配置されるシーリング部４１４を含む二重構造でありうるが、それに限定されるものではなく、接着部材だけで構成されることもできる。
【０１８６】
このように、左側及び右側音響発生アクチュエータ２００、２００’が各々第１エアーギャップ空間８００及び第２エアーギャップ空間８００’の中央位置に配置できるように、バッフル部及び音分離隔壁部の位置を設定することによって、ステレオ音響具現特性を向上させることができるだけでなく、偏振動を防止して表示装置の耐久性及び音響出力の信頼性を向上させることができる。
【０１８７】
図１１は図１０のII-II'の断面図であって、本実施形態による音分離隔壁部の細部構成を図示する。
【０１８８】
図１１に示すように、本実施形態の音分離隔壁部６００は、表示パネルの中央領域から上下方向に延びて左側及び右側音響発生アクチュエータにより発生する左右音響を分離する機能をする。
【０１８９】
即ち、第１エアーギャップ空間及び第２エアーギャップ空間での表示パネル振動を中央で減殺または吸収することによって、両エアーギャップ空間の音響が他のエアーギャップ空間に伝達されることを遮断する機能をする。
【０１９０】
このような音分離隔壁部６００は、一定の高さ（厚さ）と幅を有するポリウレタン（ＰＵ）またはポリオレフィン（ＰＯ）材質の両面テープまたは一面テープなどで構成されることができ、一定程度圧縮できる弾性を有することができる。
【０１９１】
このような音分離隔壁部６００は、フォームパッド（Foam Pad）などの他の用語で表現されることもできる。
【０１９２】
音分離隔壁部６００は、カバーボトム３００の上面と表示パネル１００の底面との間に配置され、少なくともカバーボトムの上面に接着固定される。
【０１９３】
一方、音分離隔壁部６００の上端面は表示パネルの底面と接触しなければならないが、表示パネルの底面とは接着固定されることもでき、表示パネルの底面に接着されていない状態で接触することもできる。
【０１９４】
即ち、図１１ａの実施形態では、音分離隔壁部６００はカバーボトム３００の上面に接着される下部接着層６１０と、表示パネルの底面に接着される上部接着層６１０’と、２つの接着層の間に配置される隔壁層６２０を含んで構成され、このような音分離隔壁部はカバーボトムの上面と表示パネルの底面全てに接着固定できる。
【０１９５】
図１１ａのように、音分離隔壁部６００がカバーボトム３００と表示パネル全てに接着される形態では、両エアーギャップ空間の振動をほとんど吸収して他のエアーギャップ空間に伝達しないので、左右音分離特性が優れるという長所がある。
【０１９６】
しかしながら、図１１ａの構造では第１エアーギャップ空間及び第２エアーギャップ空間の振動が完全に分離されるので、振動板の大きさが小さくなって低音域帯の音圧が減少できる。
【０１９７】
図１１ｂの実施形態による音分離隔壁部６００は、カバーボトム３００の上面に接着される下部接着層６１０と、下部接着層の上部に配置される隔壁層６２０のみを含んで構成することによって、カバーボトムの上面のみに接着され、表示パネルの底面には非接触式により接触できる。
【０１９８】
即ち、音分離隔壁部６００の隔壁層の上端面は表示パネルの底面に接触するが、接着されない。
【０１９９】
図１１ｂの実施形態によれば、音分離隔壁部が表示パネルに接着されていない状態で接触することによって、中高音域音響出力のために弱い振動をする場合には、その振動をほとんど吸収することによって、左右音分離機能をすると共に、低音域帯の強い振動がある場合には、振動減殺量を減らして低音特性が維持できるようにする。
【０２００】
即ち、図１１ｂの実施形態によれば、中高音域帯では音分離特性を確保し、低音域帯では振動板を大きく活用して低音域帯音圧減少を最小化することができる。
【０２０１】
また説明すると、図１１ｂの実施形態によれば、中高音域帯音響出力のために表示パネルが弱く振動する場合には、音分離隔壁部が振動をほとんど吸収して左右音分離特性を維持するようになり、低音域帯音響出力のために振動板が強く振動する場合には音分離隔壁部がその振動の一部のみを吸収するようにすることによって、表示パネル全体を振動板として活用して低音特性が維持できるようになる。
【０２０２】
より詳しくは、低音出力のために左側及び右側音響発生アクチュエータが表示パネルを強く押す上向き振動時には、音分離隔壁部と表示パネルの底面が一時的に離れることによって表示パネルの全体を振動板として活用し、表示パネルが原位置に復帰する下向き振動時には、表示パネルが音分離隔壁部に接触することによって、下向き振動を一部抑制して音の歪曲（Distortion）や偏振動による音質弱化を防止することができる。
【０２０３】
図１１ｃに示すように、音分離隔壁部６００は表示パネルとカバーボトムとの間のギャップ（Ｔ）より大きい高さＨ１を有することができる。
【０２０４】
即ち、図１１ｃに示すように、表示パネル１００がカバーボトム３００に結合された状態で表示パネルとカバーボトムとの間のギャップをＴとする時、音分離隔壁部６００の高さＨ１は表示パネルとカバーボトムとの間のギャップＴと等しいか大きいことがある。
【０２０５】
ここで、音分離隔壁部の高さＨ１は音分離隔壁部が表示パネルとカバーボトムとの間に取り付けられる以前の状態の高さを意味する。
【０２０６】
したがって、音分離隔壁部６００は表示パネルとカバーボトムとの間のギャップを完全に埋めて音分離隔壁部の上端面が表示パネルの底面に接触するようになり、表示パネルとカバーボトムの組立時、音分離隔壁部６００が一定程度圧縮できる。
【０２０７】
このように、音分離隔壁部６００の高さＨ１を表示パネルとカバーボトムとの間のギャップ（Ｔ）より大きいようにすることによって、前述したような音分離隔壁部による左右音響分離機能を達成することができる。
【０２０８】
一方、音分離隔壁部６００の高さＨ１と表示パネルとカバーボトムとの間のギャップＴの間の差が大きい場合には、音分離特性は良くなり、音の歪曲（Distortion）が小さくなるが、低音域帯の音圧が減少することがあり、反対に、音分離隔壁部６００の高さＨ１と表示パネルとカバーボトムとの間のギャップＴの間の差がほとんどない場合には、低音域帯の音圧減少は最小化されるが、音分離特性が多少低下できる。
【０２０９】
したがって、表示パネルとカバーボトムとの間のギャップＴに対する音分離隔壁部６００の高さＨ１を適切に選択することによって、音分離特性を維持しながらも、低音域帯音圧減少及び音の歪曲現象を最小化することができる。
【０２１０】
一方、音分離隔壁部６００は一定の幅Ｗを有し、このような音分離隔壁部の幅Ｗは約８〜１２ｍｍに決定できる。
【０２１１】
音分離隔壁部の幅Ｗが大きくなれば、音分離特性は優れるになるが、結果的に、左右振動板を減少させて音響出力量を減少させることができ、幅Ｗが小さければ必要な音分離特性が維持できなくなる。
【０２１２】
したがって、本実施形態では音分離隔壁部の幅Ｗを約８〜１２ｍｍに設定することによって、音分離特性を維持しながらも音圧減少を最小化することができる。
【０２１３】
図１２は音分離隔壁部の他の実施形態であって、３重隔壁構造を有する音分離隔壁部を図示する。
【０２１４】
一方、図１１のように左右音分離のために単一の音分離隔壁部を使用する場合、ステレオ音響特性は良くなるが、左右で同一な音響を出力するモノ（Mono）音響の具現時、左右音響干渉によって特定周波数で音圧が急激に減少することがある。
【０２１５】
即ち、左右で同一な音響を出力するモノ音響具現時には、第１エアーギャップ空間及び第２エアーギャップ空間の表示パネル領域が同一な振動特性を有するので、一定の周波数帯域で共振現象または干渉現象が極大化されることによって、音圧が急激に減少する問題が発生することがある。
【０２１６】
このような場合のために、図１２の実施形態では音分離隔壁部を中央音分離隔壁部６４０と、中央音分離隔壁部から第１隔離距離（ｄ１）を有して左右に配置される左側音分離隔壁部６５０及び右側音分離隔壁部６５０’を含む３重構造を有するように構成することができる。
【０２１７】
図１２のように、音分離隔壁部を３重隔壁構造で形成すれば、左右音響の干渉が広い領域で連続して減殺される。したがって、モノ音響の具現時、特定周波数で左右音響干渉が激しくなっても音圧減少の急激な減少を防止することによって、音響特性が不連続的に認識される現象を防止することができる。勿論、音分離隔壁部が必ず３重構造に限定されるものではなく、２以上の多重隔壁部を含む構成でありうる。
【０２１８】
この際、図１２ａのように、左側または右側音響発生アクチュエータは、単一の音分離隔壁部を使用する場合の左側または右側音響発生アクチュエータの位置よりｄ１／２だけ左側及び右側に移動配置しなければならない。
【０２１９】
また、図１２ｂに示すように、中央音分離隔壁部の高さ（Ｈ２）は左側音分離隔壁部または右側音分離隔壁部の高さ（Ｈ３）より大きいか等しいことがある。
【０２２０】
このように構成すれば、左右音響干渉が小さな場合には中央音分離隔壁部が主に干渉を減殺させるようにし、特定周波数帯域で左右音響干渉が大きくなって干渉振動が大きくなる場合には左右音分離隔壁部が干渉振動を吸収することができる。したがって、左右音響の弱い干渉乃至強い干渉全てで適切に対応することができる。
【０２２１】
以上のように、音分離隔壁部を３重構造で形成し、中央音分離隔壁部の高さＨ２を左右音分離隔壁部高さＨ３より大きくすることで、モノ音響の具現時、左右音響干渉による特定周波数での急激な音圧減少現象を防止することができる効果がある。
【０２２２】
図１３は、本実施形態による図１０による実施形態を使用する場合の音響発生特性を図示する。
【０２２３】
図１０のように、中央に音分離隔壁部６００を配置し、左右音響発生アクチュエータの間の距離（２ｄ）を約４００ｍｍ以下に設定し、左右音響発生アクチュエータが該当するエアーギャップ空間８００、８００’の中央に対称的に配置した後、周波数別音響出力特性を測定し、その結果を図１３に図示した。
【０２２４】
即ち、図１３で点線は音分離隔壁部は含み、表示パネル全体を振動板として使用し、かつ左右音響発生アクチュエータの距離を大きくする場合（即ち、図８ａの構造）の音響特性曲線であり、実線は左右音響発生アクチュエータの距離を４００ｍｍ以下にしながら表示パネルの一部を振動板として活用する場合（即ち、図１０）の音響特性曲線である。
【０２２５】
図１３のように、図１０による実施形態を用いると、図８に図示した実施形態に比べて中高音域帯（数ｋＨｚ〜数十ｋＨｚ）での音圧減少現象であるディップ現象が相当に改善されることが分かる。（図１３のＢ領域参考）
【０２２６】
しかしながら、図１０の実施形態では左右音響発生アクチュエータにより振動する表示パネルの領域、即ち各エアーギャップ空間の大きさが減少する。即ち、振動板として活用される表示パネルの面積が減少することによって、図１３のＣ領域として表示したように低音域帯の出力が減少する。
【０２２７】
このような低音弱化問題を解決するために、図１４の実施形態では別途の低音スピーカーをさらに配置する構造を提示する。
【０２２８】
図１４は、本実施形態による音響発生アクチュエータ構成の以外に、第１エアーギャップ空間（ＡＧ１）及び第２エアーギャップ空間（ＡＧ２）の外側に配置される低音スピーカーをさらに含む構造を図示する。
【０２２９】
図１３で説明したように、図１０による実施形態を用いる場合、低音域帯の音圧が減少する現象が発生する可能性がある。
【０２３０】
これを解決するために、図１４の実施形態では左右音響発生アクチュエータを含む音響発生構造物の以外に、その外部に配置される低音スピーカー９００をさらに含んで構成される。
【０２３１】
即ち、図１４ａのように、表示パネルの一部には図１０で説明したような左右音響発生アクチュエータ２００、２００’及びそれを囲むエアーギャップ空間８００、８００’の形成のためのバッフル部１４００と音分離隔壁部６００の構造が形成されており、第１エアーギャップ空間８００（ＡＧ１）及び第２エアーギャップ空間８００’（ＡＧ２）の外部には１以上の低音スピーカー９００が配置されている。
【０２３２】
このような低音スピーカー９００は一般的な形態のスピーカー、または数ＫＨｚ以下の音響を発生するウーハースピーカーなどでありうる。
【０２３３】
このような低音スピーカーは、図１４ａのように、エアーギャップ空間の下部に配置できるが、それに限定されるものではなく、エアーギャップ空間の側面または上部に配置されることもできる。
【０２３４】
また、このような低音スピーカー９００は左右区分無しで１つのみ配置されることもできるが、低音域帯の左右音分離のために左右に配置される２以上の低音スピーカーを含んで構成されることもできる。
【０２３５】
即ち、図１４ｂのように、音分離隔壁部がエアーギャップ空間の下部まで延長形成されることができ、延長形成された音分離隔壁部の左側に配置される左側低音スピーカー９００’と音分離隔壁部の右側に配置される右側低音スピーカー９００’’を含むことができる。
【０２３６】
このように配置される低音スピーカーは、前述した図１０のような実施形態が有する低音域帯の音圧減少現象を最小化して全音域帯で音響出力特性を維持することができ、特に左右側低音スピーカーで構成することによって低音域帯でもステレオ音響具現が可能な長所がある。
【０２３７】
図１５は図１４による実施形態を使用した場合の音響発生特性を図示するものであって、低音スピーカーによる音響特性曲線と音響発生アクチュエータによる音響特性曲線を図示し、両音響特性曲線が交差点Ｐで交差する現象を図示する。
【０２３８】
図１５で、一点鎖線は低音スピーカー（ウーハースピーカー）による音響特性曲線であり、実線は図１０のような実施形態による音響出力装置の音響特性曲線である。
【０２３９】
図１５に示すように、図１０による実施形態の音響特性曲線は約１ｋＨｚで音圧が増加して約２０ｋＨｚまで音響を一定水準以上に出力することを示し、低音スピーカーは約１００Ｈｚから約２０００Ｈｚまでの周波数帯域で低音を放出する特性を有する。
【０２４０】
この際、図１０による左右音響発生アクチュエータによる音響特性曲線と低音スピーカーによる音響特性曲線の交差点Ｐは約１ｋＨｚ乃至１．５ｋＨｚの周波数帯域で形成されるようにする。
【０２４１】
このように、パネル振動型音響発生構造の以外に別途の低音スピーカーをさらに備え、かつ音響発生アクチュエータと低音スピーカーが約１ｋＨｚ乃至１．５ｋＨｚでクロスオーバー（Cross-over）するよう構成することによって、全周波数帯域で一定以上の音響出力を確保しながらも、ステレオ感を極大化することができる長所がある。
【０２４２】
以上のように、本実施形態によれば、表示パネルの左右側の一定位置に配置される左右音響発生アクチュエータと、左右音響発生アクチュエータの間に配置される音分離隔壁部と、前記音分離隔壁部と共に左右音響発生アクチュエータの周囲に囲むバッフル部を備えることによって、パネル振動型音響発生表示装置で優れるステレオ音響具現が可能な効果がある。
【０２４３】
また、左右音響発生アクチュエータの中央に音分離隔壁部を形成し、音分離隔壁部の高さ、個数、表示パネルとの接着の有無などを調節することによって、左右ステレオ音響具現特性を最適化することができる。
【０２４４】
また、表示パネルの中央に配置される音分離隔壁部と左右ステレオ音響の具現のための左側音響発生アクチュエータ及び右側音響発生アクチュエータの間の距離を２００ｍｍ以下に設定することによって、中高音域帯の音質弱化現象であるディップ現象（Dip）を最小化することができる。
【０２４５】
左右音響発生アクチュエータを中心に第１及び第２エアーギャップ空間が対称的に形成されるように音分離隔壁部とバッフル部を配置することによって、ステレオ音響特性及び音響発生装置の耐久性及び信頼性を確保することができる効果がある。
【０２４６】
また、パネルを直接振動させて中高音域音響を発生する左右音響発生アクチュエータ構造の一側に低音発生用低音スピーカーをさらに配置することによって、全可聴周波数帯域全てで優れる音響出力特性を有するようにすることができる。
【０２４７】
また、表示装置の後面支持部に形成された支持孔に音響発生アクチュエータを固定することによって、優れる音響発生性能を有しながらも表示装置の厚さを減少させることができる効果がある。
【０２４８】
以上の説明及び添付の図面は本発明の技術思想を例示的に示すことに過ぎないものであって、本発明が属する技術分野で通常の知識を有する者であれば本発明の本質的な特性から逸脱しない範囲で構成の結合、分離、置換、及び変更などの多様な修正及び変形が可能である。したがって、本発明に開示された実施形態は本発明の技術思想を限定するためのものでなく、説明するためのものであり、このような実施形態によって本発明の技術思想の範囲が限定されるものではない。本発明の保護範囲は請求範囲により解釈されなければならず、それと同等な範囲内にある全ての技術思想は本発明の権利範囲に含まれるものと解釈されるべきである。
【符号の説明】
【０２４９】
１００    表示パネル
２００    左側音響発生アクチュエータ
２００’    右側音響発生アクチュエータ
２１０、２１０’    上下部プレート
２２０    マグネット
２３０    センターポール
２４０    外部フレーム
２５０    ボビン
２６０    （ボイス）コイル
３００    カバーボトム
３１０    支持孔
４００、１４００    バッフル部
４１２    接着部材
４１４    シーリング部
５００    ミドルキャビネット
６００    音分離隔壁部
７００、８００    第１エアーギャップ空間（ＡＧ１）
７００’、８００’    第２エアーギャップ空間（ＡＧ２）
９００    低音スピーカー
【図１】
2020058064.tif 000003
【図２ａ】
2020058064.tif 000004
【図２ｂ】
2020058064.tif 000005
【図３ａ】
2020058064.tif 000006
【図３ｂ】
2020058064.tif 000007
【図４ａ】
2020058064.tif 000008
【図４ｂ】
2020058064.tif 000009
【図５ａ】
2020058064.tif 000010
【図５ｂ】
2020058064.tif 000011
【図６ａ】
2020058064.tif 000012
【図６ｂ】
2020058064.tif 000013
【図７ａ】
2020058064.tif 000014
【図７ｂ】
2020058064.tif 000015
【図７ｃ】
2020058064.tif 000016
【図８ａ】
2020058064.tif 000017
【図８ｂ】
2020058064.tif 000018
【図８ｃ】
2020058064.tif 000019
【図８ｄ】
2020058064.tif 000020
【図８ｅ】
2020058064.tif 000021
【図９ａ】
2020058064.tif 000022
【図９ｂ】
2020058064.tif 000023
【図１０】
2020058064.tif 000024
【図１１ａ】
2020058064.tif 000025
【図１１ｂ】
2020058064.tif 000026
【図１１ｃ】
2020058064.tif 000027
【図１２ａ】
2020058064.tif 000028
【図１２ｂ】
2020058064.tif 000029
【図１３】
2020058064.tif 000030
【図１４ａ】
2020058064.tif 000031
【図１４ｂ】
2020058064.tif 000032
【図１５】
2020058064.tif 000033